(57)【要約】【課題】撮像素子が備えられていないフィルム式カメラ用の撮影レンズを利用して、その撮影レンズの性能を活かした高画質な撮影画像を得ることができるカメラシステム、およびカメラシステムを構成するアダプタ装置を提供することを目的とする。【解決手段】被写体光が通過する撮像光学系と第１のマウントコネクタとを備えた光学ユニットと、第１のマウントコネクタと着脱自在に嵌合する第１のマウント、撮像光学系を通って結像する被写体光を表わす画像データを取得する撮像素子、撮像素子で取得された画像データを送信する画像送信部、および第２のマウントコネクタを備えたアダプタと、画像送信部によって送信された画像データを受信する画像受信部、画像受信部で受信された画像データに基づいて所定の画像処理を行う画像処理部、および第２のマウントコネクタと着脱自在に嵌合する第２のマウントを備えた。【選択図】        図１
2006135588.tif 000002
【特許請求の範囲】
【請求項１】
撮像光学系を備えた光学ユニットが着脱自在に装着されるマウントと、
撮像光学系を通って結像する被写体光を表わす画像データを取得する撮像素子と、
前記撮像素子で取得された画像データを、画像データに基づいて所定の画像処理を行うカメラ本体に向けて送信する画像送信部と、
前記カメラ本体に着脱自在に装着されるマウントコネクタとを備えたことを特徴とするアダプタ装置。
【請求項２】
被写体光が通過する撮像光学系と第１のマウントコネクタとを備えた光学ユニットと、
前記第１のマウントコネクタと着脱自在に嵌合する第１のマウント、前記撮像光学系を通って結像する被写体光を表わす画像データを取得する撮像素子、前記撮像素子で取得された画像データを送信する画像送信部、および第２のマウントコネクタを備えたアダプタと、
前記画像送信部によって送信された画像データを受信する画像受信部、前記画像受信部で受信された画像データに基づいて所定の画像処理を行う画像処理部、および前記第２のマウントコネクタと着脱自在に嵌合する第２のマウントを備えたカメラ本体とを備えたことを特徴とするカメラシステム。
【請求項３】
前記カメラ本体は、前記第２のマウントに装着されているものが、前記アダプタであるか、撮像光学系と、該撮像光学系を通って結像する被写体光を表わす画像データを取得する撮像素子と、前記第２のマウントコネクタと同種のマウントコネクタとを有するカメラヘッドであるかを検知する検知部を備えたものであることを特徴とする請求項１記載のカメラシステム。
【請求項４】
前記カメラ本体は、前記第２のマウントに前記アダプタが装着されているときに、該アダプタへの前記光学ユニットの装着状態を検知する光学ユニット検知部と、該光学ユニット検知部で、該光学ユニットが未装着であることが検知された場合に、該光学ユニットが未装着であることを通知する通知部とを備えたものであることを特徴とする請求項２記載のカメラシステム。
【請求項５】
前記光学ユニットが、前記撮像光学系に関する光学系情報を記憶する記憶部を備えたものであり、
前記カメラ本体および／または前記アダプタ内に、前記記憶部に記憶された光学系情報を取得する情報取得部を備えたことを特徴とする請求項２記載のカメラシステム。
【請求項６】
前記アダプタが、電力を供給するバッテリを備えたものであることを特徴とする請求項１記載のカメラシステム。
【発明の詳細な説明】
【技術分野】
【０００１】
本発明は、撮影光学系を備えた光学ユニットと、光学ユニットが着脱自在に装着され、撮影光学系を通って結像された被写体光を表わす画像データに所定の画像処理を施すカメラ本体とを接続するアダプタ装置、および、光学ユニットとアダプタ装置とカメラ本体とを備えたカメラシステムに関する。
【背景技術】
【０００２】
従来、交換式の撮影レンズを、撮像素子が内蔵されたカメラ本体に装着して用いるレンズ交換式デジタルカメラが知られている。このレンズ交換式デジタルカメラは、撮影レンズによって結像された被写体光が、カメラ本体側に備えられた撮像素子で受光されて撮影画像データが生成されるため、従来、銀塩フィルムに撮影画像を記録するフィルム式の一眼レフカメラで使用されていた交換式の撮影レンズを再利用することができるという利点がある。
【０００３】
しかし、例えば、低解像度で小型な撮像素子が内蔵されたカメラ本体に、高価で光学性能が優れた大型の撮影レンズを装着すると、撮影レンズによって被写体光が精度良く結像されるが、撮像素子ではその被写体光を高精度に読み取ることができず、撮影レンズの性能を活かし切れないという問題がある。
【０００４】
この点に関し、特許文献１には、撮影レンズと撮像素子とが内蔵されたカメラヘッドをカメラ本体に装着するヘッド交換式デジタルカメラについて記載されている。この特許文献１に記載された技術によると、撮影レンズの大きさや光学性能に適したＣＣＤを予めカメラヘッド内に備えておくことによって、撮影レンズの性能を活かした撮影を行って、高画質な撮影画像を取得することができる。
【特許文献１】特開平８−１７２５６１号公報
【発明の開示】
【発明が解決しようとする課題】
【０００５】
しかし、特許文献１に記載された技術では、カメラ本体側ではなくカメラヘッド側に撮像素子が備えられているため、従来から使用されている、撮像素子が備えられていないレンズ交換式カメラ用の撮影レンズを流用することができないという問題がある。
【０００６】
本発明は、上記事情に鑑み、撮像素子が備えられていないレンズ交換式カメラ用の撮影レンズを流用することができ、その撮影レンズの性能を活かした高画質な撮影画像を得ることができるカメラシステム、およびカメラシステムを構成するアダプタ装置を提供することを目的とする。
【課題を解決するための手段】
【０００７】
上記目的を達成する本発明のアダプタ装置は、撮像光学系を備えた光学ユニットが着脱自在に装着されるマウントと、
撮像光学系を通って結像する被写体光を表わす画像データを取得する撮像素子と、
撮像素子で取得された画像データを、画像データに基づいて所定の画像処理を行うカメラ本体に向けて送信する画像送信部と、
カメラ本体に着脱自在に装着されるマウントコネクタとを備えたことを特徴とする。
【０００８】
本発明のアダプタ装置には撮像素子が備えられており、アダプタ装置に光学ユニットが着脱自在に装着されるとともに、カメラ本体にアダプタ装置が着脱自在に装着される。光学部材に備えられた撮像光学系によって結像された被写体光が、アダプタ装置に備えられた撮像素子で受光されて画像データが生成され、生成された画像データがカメラ本体に送信されて、カメラ本体で画像データに所定の画像処理が施される。したがって、従来、レンズ交換式一眼レフカメラなどで使用されていた、撮像素子を備えていない光学ユニットを装着することができるうえ、光学ユニット中の撮像光学系の性能に応じた撮像素子を有するアダプタ装置を選択することによって、撮像素子や撮像光学系の性能を活かした高画質な撮影画像を得ることができる。
【０００９】
また、上記目的を達成する本発明の撮影装置は、被写体光が通過する撮像光学系と第１のマウントコネクタとを備えた光学ユニットと、
第１のマウントコネクタと着脱自在に嵌合する第１のマウント、撮像光学系を通って結像する被写体光を表わす画像データを取得する撮像素子、撮像素子で取得された画像データを送信する画像送信部、および第２のマウントコネクタを備えたアダプタと、
画像送信部によって送信された画像データを受信する画像受信部、画像受信部で受信された画像データに基づいて所定の画像処理を行う画像処理部、および第２のマウントコネクタと着脱自在に嵌合する第２のマウントを備えたカメラ本体とを備えたことを特徴とする。
【００１０】
本発明の撮影装置によると、光学ユニットに撮像光学系が備えられており、アダプタに撮像素子が備えられているため、撮像光学系と撮像素子とを別々に選択してカメラ本体と組み合わせることができ、撮像素子や撮像光学系の性能を活かした撮影を行うことができる。また、従来のレンズ交換式カメラで使用されていた撮影レンズなどを光学ユニットとして適用することによって、それらの撮影レンズを再利用することができる。
【００１１】
また、本発明の撮影装置において、上記カメラ本体は、第２のマウントに装着されているものが、アダプタであるか、撮像光学系と、撮像光学系を通って結像する被写体光を表わす画像データを取得する撮像素子と、第２のマウントコネクタと同種のマウントコネクタとを有するカメラヘッドであるかを検知する検知部を備えたものであることが好ましい。
【００１２】
第２のマウントに装着されているのがアダプタであるか、カメラヘッドであるかを検知する検知部が設けられることによって、撮影者がそれらの種別をカメラ本体に入力する手間を省いて、手軽に撮影を行うことができる。
【００１３】
また、本発明の撮影装置において、上記カメラ本体は、第２のマウントにアダプタが装着されているときに、アダプタへの光学ユニットの装着状態を検知する光学ユニット検知部と、光学ユニット検知部で、光学ユニットが未装着であることが検知された場合に、光学ユニットが未装着であることを通知する通知部とを備えたものであることが好適である。
【００１４】
本発明の好適な形態の撮影装置によると、光学ユニットが装着されていないときには、光学ユニットが未装着であることが撮影者に通知されるため、光学ユニットなしで撮影が行われてしまう不具合を未然に防ぐことができる。
【００１５】
また、本発明の撮影装置において、上記光学ユニットが、撮像光学系に関する光学系情報を記憶する記憶部を備えたものであり、
カメラ本体および／またはアダプタ内に、記憶部に記憶された光学系情報を取得する情報取得部を備えたことが好ましい。
【００１６】
例えば、被写界深度を算出するときなどには、絞り値などといった撮像光学系に関する光学系情報が必要となるため、カメラ本体および／またはアダプタ内に光学系情報を取得する情報取得部が備えられることが好ましい。
【００１７】
また、本発明の撮影装置において、上記アダプタが、電力を供給するバッテリを備えたものであることが好ましい。
【００１８】
アダプタにバッテリが備えられることによって、アダプタがカメラ本体に装着される前に、アダプタと光学ユニットとの間で光学系情報などの受け渡しを行うことができ、撮影にかかる処理時間を短縮することができる。
【発明の効果】
【００１９】
本発明によれば、撮像素子が備えられていないレンズ交換式カメラ用の撮影レンズを利用することができ、その撮影レンズや撮像素子の性能を活かした高画質な撮影画像を得ることができるカメラシステム、およびカメラシステムを構成するアダプタ装置を提供することができる。
【発明を実施するための最良の形態】
【００２０】
以下、本発明の実施形態について説明する。
【００２１】
図１は、本発明の一実施形態が適用されたカメラシステムの分解図である。
【００２２】
図１に示すカメラシステム１には、撮影レンズが備えられた複数種類のレンズユニット１＿ｃ，２＿ｃ，…，ｎ＿ｃが用意されており、それら複数種類の光学ユニットのうちいずれかの種類のレンズユニットが選択されて使用される。以下の説明においては、複数種類のレンズユニット１＿ｃ，２＿ｃ，…，ｎ＿ｃのうち一番目のレンズユニット１＿ｃが選択されたものとして説明を行う。
【００２３】
カメラシステム１は、ＣＣＤ１０２ａが搭載されたアダプタ１＿ａ、アダプタ１＿ａが装着されるカメラ本体１＿ｂ、アダプタ１＿ａに装着されるレンズユニット１＿ｃとで構成されている。このＣＣＤ１０２ａは、本発明にいう撮像素子の一例にあたり、アダプタ１＿ａは、本発明にいうアダプタ装置、およびアダプタそれぞれの一例に相当する。また、レンズユニット１＿ｃ，２＿ｃ，…，ｎ＿ｃは、本発明にいう光学ユニットの一例にそれぞれ相当し、カメラ本体１＿ｂは、本発明にいうカメラ本体の一例に相当する。
【００２４】
アダプタ１＿ａにはアダプタマウント１７２ａが設けられており、このアダプタマウント１７２ａに、レンズユニット１＿ｃに設けられたレンズユニットマウントコネクタ１７２ｂが着脱自在に嵌合する。また、カメラ本体１＿ｂの前面側にはカメラ本体マウント１７１ｂが設けられており、このカメラ本体マウント１７１ｂに、アダプタ１＿ａの、アダプタマウント１７２ａが設けられた側とは逆の側に設けられたアダプタマウントコネクタ１７１ａが着脱自在に嵌合する。アダプタマウント１７２ａは、本発明にいう第１のマウントの一例にあたり、レンズユニットマウントコネクタ１７２ｂは、本発明にいう第１のマウントコネクタの一例に相当する。また、カメラ本体マウント１７１ｂは、本発明にいう第２のマウントの一例にあたり、アダプタマウントコネクタ１７１ａは、本発明にいう第２のマウントコネクタの一例に相当する。
【００２５】
図２は、図１に示すカメラシステム１の内部構成図である。
【００２６】
まずは、レンズユニット１＿ｃについて説明する。
【００２７】
レンズユニット１＿ｃには、フォーカスレンズやズームレンズなどといった各種レンズや、それら各種レンズを駆動するためのモータなどが配備された光学部材１６１ｃ、光学部材１６１ｃ中のモータを制御して、フォーカスレンズやズームレンズのレンズ位置や、絞りなどを制御する絞り／フォーカスズーム制御部１６２ｃ、アダプタ１＿ａとの間で情報を送受信する通信部１６３ｃ、レンズユニット１＿ｃの各種要素を制御するとともに、本体ＣＰＵ１００ｂから送られてくる合焦位置や焦点距離の情報に基づいて、フォーカスレンズやズームレンズのレンズ位置を算出するレンズＣＰＵ１６４ｃ、レンズＣＰＵ１６４ｃでの算出処理時などに一時的なメモリとして使用されるシステムメモリ１６５ｃ、レンズの絞り値などといったレンズパラメータが記録された不揮発性メモリ１６６ｃが備えられている。レンズユニット１＿ｃは、レンズユニットマウントコネクタ１７２ｃがアダプタマウント１７２ａに嵌合されることによって、アダプタ１＿ａに装着されている。光学部材１６１ｃは、本発明にいう撮像光学系の一例にあたり、不揮発性メモリ１６６ｃは、本発明にいう記憶部の一例に相当する。
【００２８】
続いて、アダプタ１＿ａについて説明する。
【００２９】
アダプタ１＿ａには、レンズユニット１＿ｃとの間で情報を送受信する通信部１０１ａや、光学部材１６１ｃを通って結像された被写体光を受光して、被写体光を表わす被写体信号を生成するＣＣＤ１０２ａ、被写体信号の増幅やゲイン調整などを行うアナログ信号処理部１０３ａ、アナログ信号である被写体信号をデジタルの画像データに変換するＡ／Ｄ部１０４ａ、ＣＣＤ１０２ａ、アナログ信号処理部１０３ａ、Ａ／Ｄ部１０４ａに向けてタイミング信号を発するＴＧ（タイミングジェネレータ）１８ａといった撮像に関係する各種要素が備えられている。このＣＣＤ１０２ａは、本発明にいう撮像素子の一例に相当する。
【００３０】
ここで、ＣＣＤ１０２ａで被写体光が受光されることによって、現在、撮影画角内にある被写体像を捉えた、カメラ本体１＿ｂのＬＣＤ１０５０ｂに表示されるスルー画像用のスルー画像データ、レリーズボタン１３ｂが押下されたときの静止画像を表わす静止画像データ、および動画を表わす動画像データの３種類の画像データが生成される。スルー画像データは、解像度が低い一時的なデータであり、カメラ本体１＿ｂに送られるとともに、積算回路１６ａにも送られる。
【００３１】
アダプタ１＿ａには、上述した撮像に関する各種要素のほかにも、低解像度な画像データに基づいて、被写体の輝度（ＡＥ検出）やコントラスト（ＡＦ検出）を検出する積算回路１６ａ、アダプタ１＿ａの各種要素を制御するアダプタＣＰＵ１９ａ、ＡＥ検出やＡＦ検出に関する処理手順などを示すプログラムが格納されたシステムメモリ１９０ａ、ＣＣＤ１０２ａの画素数などといったアダプタパラメータが記録された不揮発メモリ１９１ａ、カメラ本体１＿ｂとの間で各種パラメータの送受信を行うパラメータ通信部１５１ａ、カメラ本体１＿ｂとの間で画像データの送受信を行う画像通信部１５０ａ、アダプタ１＿ａ、およびレンズユニット１＿ｃの各種要素に供給される電力を制御する電源制御部１００ａ、電力を調整するＤＣ／ＤＣコンバータ１０００ａなども備えられている。画像通信部１５０ａは、本発明にいう画像送信部の一例にあたる。
【００３２】
アダプタ１＿ａは、アダプタマウントコネクタ１７１ａがカメラ本体マウント１７１ｂに嵌合されることによって、カメラ本体１＿ｂに装着されている。
【００３３】
続いて、カメラ本体１＿ｂについて説明する。
【００３４】
カメラ本体１＿ｂの動作は、本体ＣＰＵ１００ｂにより統括的に制御される。このカメラ本体１＿ｂには、プログラムが格納されたシステムメモリ１０１ｂ、アダプタ１＿ａやレンズユニット１＿ｃから送信された各種パラメータを受信するパラメータ通信部１５１ｂ、アダプタ１＿ａから送信された画像データを受信する画像通信部１５０ｂ、パラメータ通信部１５１ｂで受信された各種パラメータなどを記録する不揮発メモリ１０２ｂ、タイマ撮影用のタイマ１１０ｂ、ＬＣＤ１０５０ｂにカレンダ時計を表示するためのカレンダ時計部１１１ｂ、ＵＳＢコネクタ１３０ｂを介してパーソナルコンピュータなどが接続されるＵＳＢドライバ１３１ｂ、カメラ本体１＿ｂに備えられた閃光発光窓から閃光を発光する閃光発光部１２１ｂ、閃光発光部１２１ｂでの発光量を制御する閃光発光制御部１２０ｂ、Ｉ／Ｏ１３３ｂを介して本体ＣＰＵ１００ｂに制御されて動作するスイッチ／ＬＥＤ１３２ｂ、このカメラシステム１の電源を投入する電源ＳＷ１４ｂ、このカメラシステム１に電力を供給するバッテリ１４２ｂ、バッテリ１４２からカメラ本体１＿ｂの各要素に供給される電力を制御する電源制御部１４０ｂ、電力を調整するＤＣ／ＤＣコンバータ１４６ｂ、電力を維持してＩ／Ｏ１０９を介してアダプタ１＿ａやレンズユニット１＿ｃに送るラッチ１４３ｂ、画像通信部１５０ｂで受信された画像データに圧縮処理などといった各種処理を施すデジタル信号処理部１０３ｂ、画像通信部１５０ｂで受信されたスルー画像データが一旦記録されるフレームメモリ１０４ｂ、ＬＣＤ１０５０ｂでの表示を制御するＬＣＤ制御部１０５ｂ、各種メニュー画面や、スルー画像データに基づいたスルー画像などが表示されるＬＣＤ１０５０ｂ、本撮影時に生成された画像データがデジタル信号処理部１０３ｂで圧縮され、圧縮画像データがカードＩ／Ｆ１０６ｂを介して記録されるメモリカード１０８ｂが装填されるメモリカードスロット１０７ｂなどが備えられている。この画像通信部１５０ｂは、本発明にいう画像受信部の一例にあたり、デジタル信号処理部１０３ｂは、本発明にいう画像処理部の一例に相当する。
【００３５】
また、本実施形態においては、カメラ本体マウント１７１ｂに装着されているものがアダプタマウントコネクタ１７１ａであるか、アダプタマウントコネクタ１７１ａと同種のカメラヘッド用マウントコネクタであるかを検出することで、カメラ本体１＿ｂに接続されている装置がアダプタ１＿ａであるか、レンズユニットに撮像素子が搭載されたカメラヘッドであるかを検出する接続検出部１５３ｂが備えられている。この接続検出部１５３ｂは、本発明にいう検知部の一例に相当する。
【００３６】
レンズユニット１＿ｃからレンズパラメータを取得するアダプタＣＰＵ１９ａおよび本体ＣＰＵ１００ｂは、本発明にいう情報取得部の一例に相当する。
【００３７】
本実施形態のカメラシステム１によると、アダプタ１＿ａにＣＣＤ１０２ａが備えられているため、カメラ本体１＿ｂに、撮像素子が搭載されていないレンズユニットを接続して撮影を行うことができる。したがって、従来、広く使用されているフィルム式一眼レフカメラ用のレンズユニットを再利用することができる。また、アダプタマウントコネクタ１７１ａと同種のマウントコネクタが設けられたものであれば、カメラヘッド（撮像素子が搭載されたレンズユニット）を、アダプタ１＿ａとレンズユニット１＿ｃとを接続する替わりにカメラ本体１＿ｂに接続して撮影を行うことができる。
【００３８】
本実施形態のカメラシステム１は、基本的には以上のように構成されている。
【００３９】
以下、カメラシステム１内での情報の流れについて詳しく説明する。
【００４０】
まず、カメラ本体１＿ｂに、アダプタ１＿ａやカメラヘッドが装着されたときの情報の流れについて説明する。
【００４１】
カメラ本体１＿ｂのカメラ本体マウント１７１ｂに装置が装着されると、接続検出部１５３ｂは、装着された装置がアダプタ１＿ａであるか、アダプタマウントコネクタ１７１ａと同種のマウントコネクタを有するカメラヘッドであるかといった装置種別を検出し、その装置種別を本体ＣＰＵ１００ｂに送る。本体ＣＰＵ１００ｂは、送られてきた装置種別を不揮発性メモリ１０２ｂに記録する。
【００４２】
カメラシステム１に、カメラ本体１＿ｂに接続された装置の種別を検出する接続検出部１５３ｂを備えることによって、撮影者によって電源ＳＷ１４ｂが入れられる前に装置種別を取得しておくことができ、電源ＳＷ１４ｂが入れられて、撮影可能な状態に達するまでの処理時間を短縮することができる。
【００４３】
ここで、本実施形態のカメラシステム１では、カメラ本体１＿ｂに接続検出部１５３ｂが備えられているが、ここで一旦、本実施形態の説明を中断し、接続検出部１５３ｂが備えられていない場合における装置種別の取得方法について説明する。
【００４４】
図３は、接続検出部１５３ｂが備えられていない場合に装置の種別を判別するまでの一連の処理を示すフローチャートである。
【００４５】
アダプタ１＿ａやカメラヘッドに備えられた不揮発性メモリ１９１ａなどには、その装置がアダプタであるか、カメラヘッドであるかという装置種別パラメータが予め記録されている。ここでは、カメラ本体１＿ｂにアダプタ１＿ａが接続されている場合について説明する。
【００４６】
撮影者によって電源ＳＷ１４ｂが入れられると、バッテリ１４２ｂから電力が供給されて、カメラシステム１の電源が投入される（図３のステップＳ１１）。
【００４７】
電源が投入されると、カメラ本体１＿ｂの本体ＣＰＵ１００ｂが起動する（図３のステップＳ１２）。本体ＣＰＵ１００ｂは、カメラ本体マウント１７１ｂから装置が接続されているか否かの情報を取得する（図３のステップＳ１３）。カメラ本体マウント１７１ｂに装置が接続されていない場合には（図３のステップＳ１３：Ｎｏ）、ＬＣＤ１０５０ｂに「アダプタ未装着」というエラーメッセージを表示させる。
【００４８】
また、カメラ本体マウント１７１ｂに装置が接続されている場合には（図３のステップＳ１３：Ｙｅｓ）、アダプタ１＿ａの不揮発性メモリ１９１ａにアクセスし（図３のステップＳ１４）、装置種別パラメータの送信を要求する。装置種別パラメータは、アダプタ１＿ａのパラメータ通信部１５１ａ、カメラ本体１＿ｂのパラメータ通信部１５１ｂを介して本体ＣＰＵ１００ｂに伝えられる。カメラ本体１＿ｂは、伝えられた装置種別パラメータから装置種別を判別する（図３のステップＳ１５）。
【００４９】
接続検出部１５３ｂが備えられていない場合には、以上のようにして装置種別が判別される。以下、本実施形態に戻って説明する。
【００５０】
続いて、撮影者によって撮影のための各種設定が行われて、実際に撮影が行われるまでに送受信される情報の流れについて説明する。
【００５１】
図４は、撮影者によって撮影のための各種設定が行われて、実際に撮影が行われるまでの処理を示すフローチャートである。
【００５２】
アダプタ１＿ａの不揮発メモリ１９１ａには、ＣＣＤ１０２ａの画素数などといったアダプタパラメータが予め記録されており、レンズユニット１＿ｃの不揮発性メモリ１６６ｃには、レンズのＦ値などといったレンズパラメータが予め記録されており、カメラヘッドに備えられた不揮発性メモリには、そのカメラヘッドに備えられたＣＣＤの画素数やレンズのＦ値などといったカメラヘッドパラメータが予め記録されている。
【００５３】
撮影者が、ＬＣＤ１０５０ｂに表示されたメニュー画面に従って、風景撮影モードや通常撮影モードなどといった撮影モード、画像データのデータサイズ、閃光発光の有無などを設定すると（図４のステップＳ２１）、撮影準備が開始される。
【００５４】
カメラ本体１＿ｂに接続された装置がカメラヘッドである場合（図４のステップＳ２２：カメラヘッド）、本体ＣＰＵ１００ｂは、カメラヘッドに備えられたパラメータ通信部、カメラ本体１＿ｂのパラメータ通信部１５１ａを介して、不揮発性メモリに予め記録されているカメラヘッドパラメータを取得する（図４のステップＳ２６）。
【００５５】
また、カメラ本体１＿ｂに接続された装置がアダプタ１＿ａである場合には（図４のステップＳ２２：アダプタ）、まず、レンズユニット１＿ｃの通信部１６３ｃとアダプタ１＿ａの通信部１０１ａとを介して、レンズユニット１＿ｃの不揮発性メモリ１６６ｃに記録されたレンズパラメータが、アダプタ１＿ａのシステムメモリ１９０ａに記録される（図４のステップＳ２３）。続いて、アダプタ１＿ａのパラメータ通信部１５１ａとカメラ本体１＿ｂのパラメータ通信部１５１ｂを介して、アダプタ１＿ａのシステムメモリ１９０ａに記録されたレンズパラメータが、カメラ本体１＿ｂのシステムメモリ１０１ｂに記録される（図４のステップＳ２４）。
【００５６】
また、アダプタ１＿ａのパラメータ通信部１５１ａとカメラ本体１＿ｂのパラメータ通信部１５１ｂを介して、アダプタ１＿ａの不揮発性メモリ１９１ａに記録されたアダプタパラメータが、カメラ本体１＿ｂのシステムメモリ１０１ｂに記録される（図４のステップＳ２５）。
【００５７】
以上のようにして、各種パラメータがカメラ本体１＿ｂに伝えられると、本体ＣＰＵ１００ｂは、これら各種パラメータや、撮影者によって設定された各種設定内容などに応じてカメラシステム１の各種要素に動作指示を与え、撮影が開始される（図４のステップＳ２７）。
【００５８】
以上で、本発明の第１実施形態の説明を終了し、次に、本発明の第２実施形態の説明を行う。第１実施形態のカメラシステム１と第２実施形態のカメラシステムとは、ほぼ同様な構成を有するため、同じ要素には同じ符号を付して説明を省略し、第１実施形態と第２実施形態との相違点についてのみ説明する。
【００５９】
図５は、本発明の第２実施形態のカメラシステム２の内部構成図である。
【００６０】
図２に示す第１実施形態のカメラシステム１と、図５に示す本実施形態のカメラシステム２とでは、ほぼ同様の構成を有するが、本実施形態のカメラシステム２には、アダプタ１＿ａにバッテリ１４２ａが備えられている点が異なる。
【００６１】
バッテリ１４２ａは、アダプタ１＿ａおよびレンズユニット１＿ｃに電力を供給する。このバッテリ１４２ａは、本発明にいうバッテリの一例に相当する。
【００６２】
アダプタ１＿ａにバッテリ１４２ａが備えられることによって、レンズユニット１＿ｃに搭載されたレンズを駆動するための電力を、カメラ本体１＿ｂのバッテリ１４２ｂから供給される電力に加えて補給することができ、大型のレンズが搭載されたレンズユニット１＿ｃが装着されたときであっても、レンズを駆動することができる。また、アダプタ１＿ａがカメラ本体１＿ｂに装着されていなくても、アダプタ１＿ａのバッテリ１４２ａを使ってアダプタ１＿ａやレンズユニット１＿ｃを起動することができる。その結果、レンズパラメータをアダプタ１＿ａに送るための、図４のフローチャートにおけるステップＳ２３の処理を、アダプタ１＿ａをカメラ本体１＿ｂに装着する前に行うことができ、撮影準備の処理時間を短縮することができる。尚、この場合には、レンズパラメータは、アダプタ１＿ａのシステムメモリ１９０ａではなく、アダプタ１＿ａの不揮発性メモリ１９１ａに記録される。
【００６３】
以上で、本発明における第２実施形態の説明を終了し、本発明の第３実施形態について説明する。本発明の第３実施形態のカメラシステムも、第１実施形態のカメラシステム１および第２実施形態のカメラシステム２とほぼ同様な構成を有するため、同じ要素には同じ符号を付して説明を省略し、第１実施形態および第２実施形態との相違点についてのみ説明する。
【００６４】
図６は、本発明の第３実施形態のカメラシステム３の内部構成図である。
【００６５】
図２に示す第１実施形態のカメラシステム１と、図６に示す本実施形態のカメラシステム３とでは、ほぼ同様の構成を有するが、本実施形態のカメラシステム３には、第１実施形態のカメラシステム１に備えられていた接続検出部１５３ｂが備えられておらず、その替わりに、アダプタ１＿ａに、レンズユニット１＿ｃの装着状態を検出するレンズ検出部１０５ａと、カメラ本体１＿ｂにレンズユニット１＿ｃの装着状態を送信する装着情報通信部１５２ａとが備えられており、カメラ本体１＿ｂには、アダプタ１＿ａからレンズユニット１＿ｃの装着状態を受信する装着情報通信部１５２ｂが備えられている。ＬＣＤ１０５０ｂは、本発明にいう通知部の一例にあたり、レンズ検出部１０５ａは、本発明にいう光学ユニット検知部の一例に相当する。
【００６６】
図７は、撮影者によって撮影のための各種設定が行われて、実際に撮影が行われるまでの処理を示すフローチャートである。
【００６７】
電源が投入されると、カメラ本体１＿ｂの本体ＣＰＵ１００ｂは、カメラ本体マウント１７１ｂから装置が接続されているか否かの情報を取得する（図７のステップＳ３１）。カメラ本体マウント１７１ｂに装置が接続されていない場合には（図７のステップＳ３１：Ｎｏ）、本体ＣＰＵ１００ｂは、ＬＣＤ１０５０ｂに「装置未装着」というエラーメッセージを表示させる（図７のステップＳ３７）。さらに、本体ＣＰＵ１００ｂは、カメラシステム３内の各種要素に撮影準備処理を停止させ（図７のステップＳ３８）、ＬＣＤ１０５０ｂに「撮影停止」というエラーメッセージを表示させる（図７のステップＳ３９）。
【００６８】
また、カメラ本体マウント１７１ｂに装置が接続されている場合には（図７のステップＳ３１：Ｙｅｓ）、本体ＣＰＵ１００ｂは、接続装置のパラメータ通信部、カメラ本体１＿ｂのパラメータ通信部１５１ｂを介して、接続装置の不揮発性メモリに記録された装置種別パラメータを取得する。
【００６９】
接続装置がカメラヘッドである場合には（図７のステップＳ３２：カメラヘッド）、本体ＣＰＵ１００ｂは、カメラヘッドに備えられたパラメータ通信部、カメラ本体１＿ｂのパラメータ通信部１５１ａを介して、カメラヘッドパラメータを取得する（図７のステップＳ３３）。カメラ本体１＿ｂの本体ＣＰＵ１００ｂは、これら各種パラメータなどに応じてカメラシステム３の各種要素を制御し、撮影が開始される（図７のステップＳ３６）。
【００７０】
また、カメラ本体１＿ｂに接続された装置がアダプタ１＿ａである場合には（図７のステップＳ３２：アダプタ）、レンズ検出部１０５ａで検出されたレンズユニット１＿ｃの装着状態が、アダプタ１＿ａの装着情報通信部１５２ａとカメラ本体１＿ｂの装着情報通信部１５２ｂとを介して、カメラ本体１＿ｂの本体ＣＰＵ１００ｂに伝えられる。
【００７１】
レンズユニット１＿ｃがアダプタ１＿ａに装着されていない場合には（図７のステップＳ３４：なし）、本体ＣＰＵ１００ｂは、ＬＣＤ１０５０ｂに「レンズ未装着」というエラーメッセージを表示させ（図７のステップＳ３７）、カメラシステム３内の各種要素に撮影準備処理を停止させ（図７のステップＳ３８）、ＬＣＤ１０５０ｂに「撮影停止」というエラーメッセージを表示させる（図７のステップＳ３９）。
【００７２】
また、レンズユニット１＿ｃがアダプタ１＿ａに装着されている場合には（図７のステップＳ３４：あり）、まず、レンズユニット１＿ｃからアダプタ１＿ａにレンズパラメータが送信され、続いて、アダプタ１＿ａからカメラ本体１＿ｂに、レンズパラメータとアダプタパラメータが送信される（図７のステップＳ３５）。
【００７３】
以上のようにして、各種パラメータがカメラ本体１＿ｂに伝えられると、これら各種パラメータや、撮影者によって設定された各種設定内容などに応じて撮影が開始される（図４のステップＳ２７）。
【００７４】
以上のようにして、各種パラメータがカメラ本体１＿ｂに伝えられると、本体ＣＰＵ１００ｂは、これら各種パラメータや、撮影者によって設定された各種設定内容などに応じてカメラシステム３の各種要素に動作指示を与え、撮影が開始される（図７のステップＳ３６）。
【００７５】
尚、図７では、カメラ本体１＿ｂの本体ＣＰＵ１００ｂによって、カメラシステム３の各種要素の制御を行う例について説明したが、例えば、アダプタ１＿ａのアダプタＣＰＵ１９ａでカメラシステム３の制御を行ってもよい。この場合、図７のステップＳ３４では、レンズ検出部１０５ａで検出されたレンズユニット１＿ｃの装着状態がアダプタ１＿ａに伝えられ、ステップＳ３５では、レンズユニット１＿ｃからアダプタＣＰＵ１９ａにレンズパラメータが伝えられ、アダプタ１＿ａの不揮発性メモリ１９１ａに記録されたアダプタパラメータがアダプタＣＰＵ１９ａに伝えられ、撮影者によって設定された各種設定内容が、カメラ本体１＿ｂからアダプタＣＰＵ１９ａに伝えられる。アダプタＣＰＵ１９ａでは、これらの各種パラメータにに応じて、カメラシステム３の各種要素に動作指示が与えられる。
【００７６】
このように、本実施形態のカメラシステム３によると、レンズユニット１＿ｃが装着されていないときには、レンズユニット１＿ｃが未装着であることが、撮影が行われる前に撮影者に通知されるため、レンズユニット１＿ｃを装着せずに撮影を行ってしまう不具合を未然に防ぐことができる。
【００７７】
ここで、上記では、撮像素子としてＣＣＤを備えたカメラシステムについて説明したが、本発明にいう撮像素子は、ＭＯＳなどであってもよい。
【００７８】
また、近年では、容器に収容された液体に電圧を印加し、その液面の形状等を変化させることによって光の屈折率を調節する液体レンズが開発されている。上記では、本発明にいう撮像光学系として通常のレンズを用いる例について説明したが、本発明にいう撮像光学系は、液体レンズなどであってもよい。この場合、「撮像光学系の駆動」とは、通常のレンズを光軸方向に移動させるのと等価な作用を行わせるように、液体に電圧を印加する作業などをいう。
【００７９】
また、上記では、ＬＣＤにメッセージを表示させることによって、撮影者にレンズユニットの未装着を通知する通知部を備えた例について説明したが、本発明にいう通知部は、例えば、音声などによって通知するものであってもよい。
【図面の簡単な説明】
【００８０】
【図１】本発明の一実施形態が適用されたカメラシステムの分解図である。
【図２】図１に示すカメラシステム１の内部構成図である。
【図３】接続検出部１５３ｂが備えられていない場合に装置の種別を判別するまでの一連の処理を示すフローチャートである。
【図４】撮影者によって撮影のための各種設定が行われて、実際に撮影が行われるまでの処理を示すフローチャートである。
【図５】本発明の第２実施形態のカメラシステム２の内部構成図である。
【図６】本発明の第３実施形態のカメラシステム３の内部構成図である。
【図７】撮影者によって撮影のための各種設定が行われて、実際に撮影が行われるまでの処理を示すフローチャートである。
【符号の説明】
【００８１】
１，２，３    カメラシステム
１＿ａ    アダプタ
１＿ｂ    カメラ本体
１＿ｃ，２＿ｃ，…，ｎ＿ｃ    レンズユニット
１６１ｃ    光学部材
１６２ｃ    絞り／フォーカスズーム制御部
１６３ｃ    通信部
１６４ｃ    レンズＣＰＵ
１６５ｃ    システムメモリ
１６６ｃ    不揮発性メモリ
１７２ｃ    レンズユニットマウントコネクタ
１００ａ    電源制御部
１０００ａ    ＤＣ／ＤＣコンバータ
１０１ａ    通信部
１０２ａ    ＣＣＤ
１０３ａ    アナログ信号処理部
１０４ａ    Ａ／Ｄ部
１０５ａ    レンズ検出部
１５０ａ    画像通信部
１５１ａ    パラメータ通信部
１５２ａ    装着情報通信部
１６ａ    積算回路
１７１ａ    アダプタマウントコネクタ
１７２ａ    アダプタマウント
１８ａ    ＴＧ
１００ｂ    本体ＣＰＵ
１０１ｂ    システムメモリ
１０２ｂ    不揮発メモリ
１０４ｂ    フレームメモリ
１０５０ｂ    ＬＣＤ
１０６ｂ    カードＩ／Ｆ
１０７ｂ    メモリカードスロット
１０９ｂ    Ｉ／Ｏ
１１０ｂ    タイマ
１１１ｂ    カレンダ時計部
１２０ｂ    閃光発光制御部
１２１ｂ    閃光発光部
１３１ｂ    ＵＳＢドライバ
１３２ｂ    スイッチ／ＬＥＤ
１３３ｂ    Ｉ／Ｏ
１４ｂ    電源ＳＷ
１４０ｂ    電源制御部
１４２ｂ    バッテリ
１４３ｂ    ラッチ
１４６ｂ    ＤＣ／ＤＣコンバータ
１５０ｂ    画像通信部
１５１ｂ    パラメータ通信部
１５２ｂ    装着情報通信部
１５３ｂ    接続検出部
１９ａ    アダプタＣＰＵ
１９０ａ    システムメモリ
１９１ａ    不揮発メモリ
【図１】
2006135588.tif 000003
【図２】
2006135588.tif 000004
【図３】
2006135588.tif 000005
【図４】
2006135588.tif 000006
【図５】
2006135588.tif 000007
【図６】
2006135588.tif 000008
【図７】
2006135588.tif 000009